(57)【要約】【課題】容易に組立てることができ、トイレとして利用可能な複数の個室を備える折畳み式建家を提供する。【解決手段】折畳み式建家１は、長方形の板状を呈し、第一側辺がそれぞれ蝶番状の壁接続体を介して接続された六枚の壁体３と、壁体３と略同一の形状を呈し、第一扉辺が壁体３の第一側辺に対向する第二側辺３ｂに接続されている五枚の扉体４と、接続された壁体３の上辺をそれぞれ繋ぐ六枚の屋根体５と、壁体３に取着されている五組の折畳み式便器１１とを主に有して構成されている建家本体２１および建家本体２１を支持する架台３１とから主に構成されている。【選択図】　　　　図１
0003097887.tif 000002
【実用新案登録請求の範囲】
【請求項１】
第一側辺、および前記第一側辺に対向する第二側辺を有し、略長方形の板状を呈する複数の壁体を備え、前記第一側辺同士をそれぞれ連結し、前記壁体が重なり合った折畳み状態から、互いに連結された前記第一側辺を略中心とし、前記第二側辺がそれぞれ離間して放射状に配置された展開状態に展開可能な連結壁体と、
前記壁体の前記第二側辺に接続して形成され、前記折畳み状態で互いに対向する前記壁体の間に挟み込んで収容可能な扉体と、
前記壁体の上部をそれぞれ接続し、前記折畳み状態で互いに対向する前記壁体の間に挟み込んで収容可能な屋根体と
を具備することを特徴とする折畳み式建家。
【請求項２】
前記扉体は、
曲折可能に形成され、
前記扉体を平板状に保持する扉体保持手段をさらに具備することを特徴とする請求項１に記載の折畳み式建家。
【請求項３】
便座孔が穿設された便座部、および前記便座部を支持する脚部を有し、前記便座部および前記脚部の少なくともいずれか一方が、前記壁体に対し折畳み可能に取着される折畳み式便器を具備することを特徴とする請求項１または請求項２に記載の折畳み式建家。
【請求項４】
前記便座部は、
少なくとも一つの固定孔を有して形成され、
前記脚部は、
前記便座部の水平方向の変位を規制するために前記固定孔に嵌入される突起状の固定片を有することを特徴とする請求項３に記載の折畳み式建家。
【請求項５】
前記壁体の下辺を支持し、前記展開状態を保持する架台をさらに具備することを特徴とする請求項１乃至請求項４のいずれか一つに記載の折畳み式建家。
【請求項６】
前記架台は、
平板状を呈する台座部と、
前記壁体の厚さと略同一の幅を有し、前記壁体の前記下辺を嵌挿可能に形成された溝部を備え、前記台座部上に放射状に配設される前記壁体と同数個の支持体と、
前記支持体を前記台座部に対して垂立した状態から水平な状態に展開可能に、前記支持体の一端を前記台座部に接続する支持体接続部と
を有することを特徴とする請求項５に記載の折畳み式建家。
【請求項７】
前記壁体、前記扉体、前記便座部および前記脚部の少なくとも一つは、
プラスチック製の中空構造板が利用されることを特徴とする請求項３乃至請求項６のいずれか一つに記載の折畳み式建家。
【考案の詳細な説明】
【０００１】
【考案の属する技術分野】
本考案は、折畳み式建家に関するものであり、特に複数の個室を備える折畳み式建家に関するものである。
【０００２】
【従来の技術】
従来より、被災地、海水浴場、建設現場および屋外の催物会場等には、一定の期間だけ使用するための「仮設トイレ」が設置されていることがある。ここで、仮設トイレは、ユニット型（設置型）と組立式に大別される。ユニット型トイレは、一つの建家に一つの便器および便槽が設けられ、トイレとして完成している。そのため、搬送して設置すれば、直ぐにトイレとして使用できるものが多いが、完成品であるため容積が大きい。したがって、多数のトイレを必要とする場合でも、容易に被災地等に運び込むことができないことが多い。さらに、災害発生時、催物開催時等において使用するために備蓄する場合、広い面積が必要となるという問題点があった。
【０００３】
一方、組立式トイレは、災害発生時等に組立てて使用するものであり、使用する前は折畳んだ状態でコンパクトに収納されている。そのため、前述のユニット型に比べ、備蓄する場合に適している。ここで、組立式トイレは、板状体を組立てて個室を形成するもの（例えば、特許文献１）、および支柱をシートで囲って個室を形成するものがある（例えば、特許文献２）。
【０００４】
【特許文献１】
特開平１１−１０１００８号公報
【特許文献２】
登録実用新案第３０１６３７２号公報
【０００５】
【考案が解決しようとする課題】
しかしながら、組立式トイレは、個室、便器、および便槽から主に構成され、組立点数が多く、組立の手順が煩雑なことが多い。そのため、組立式トイレを災害発生時等に誰もが組立てることができるようにするには、防災訓練等において実際に組立訓練をする必要があった。さらに、組立式トイレは、一室だけが独立して形成されているものが多いため、多数の組立式トイレを組立てるのには、一室ずつ個別に組立てて並べる等、多くの時間と労力が必要であった。
【０００６】
そこで、本考案は、上記実情に鑑み、容易に組立てることができ、トイレとして利用可能な複数の個室を備える折畳み式建家を提供することを課題とする。
【０００７】
【課題を解決するための手段】
本考案に係る折畳み式建家は、「第一側辺、および前記第一側辺に対向する第二側辺を有し、略長方形の板状を呈する複数の壁体を備え、前記第一側辺同士をそれぞれ連結し、前記壁体が重なり合った折畳み状態から、互いに連結された前記第一側辺を略中心とし、前記第二側辺がそれぞれ離間して放射状に配置された展開状態に展開可能な連結壁体と、前記壁体の前記第二側辺に接続して形成され、前記折畳み状態で互いに対向する前記壁体の間に挟み込んで収容可能な扉体と、前記壁体の上部をそれぞれ接続し、前記折畳み状態で互いに対向する前記壁体の間に挟み込んで収容可能な屋根体」を、上述の課題を解決するための特徴とする。
【０００８】
ここで、壁体、および扉体は、プラスチック等の樹脂材、および木材等を利用することが可能である。また、屋根体は、上述の材料に加え、布材を利用することが可能であり、耐久性等に優れるテント用の布地が特に好適である。
【０００９】
さらに、壁体、および扉体は、接着剤、粘着テープ、および接続部材（例えば、蝶番等の金具）等を利用して接続することが可能である。さらに、屋根体は一端が一方の壁体の上辺に曲折可能に接続され、他端は他方の壁体の上辺に取外し可能に接続されているものであってもよいし、あるいは両端が接続されているものであってもよい。例えば、一端は上述の方法で接続され、他端は、ファスナー、およびスナップ等の従来から周知の留め金具等で取外し可能に接続されるものが例示される。
【００１０】
したがって、本考案の折畳み式建家によれば、折畳み状態において、連結壁体の互いに対向する壁体の間に、扉体および屋根体が収容され、コンパクトにまとまっている。そのため、このような折畳み状態の複数の折畳み式建家を、立てて並べたり、積重ねることが可能となり、狭いスペースで多数の折畳み式建家を収納、および運搬することができる。
【００１１】
そして、連結壁体は連結された第一側辺を略中心とし、全ての壁体が放射状に配置された展開状態に展開することが可能である。そのため、連結壁体を展開し、さらに、扉体を壁体から離間するように開くと、放射状に配置された二つの壁体の第二側辺を繋ぐように扉体が配置される。このとき、互いに対向する壁体の上部は屋根体によって接続されているため、上方から見ると三角形状をなす個室が形成される。すなわち、展開状態において複数の三角筒状の個室を連設することが可能となる。ここで、例えば、それぞれ六枚の壁体、扉体、および屋根体から構成される折畳み式建家の場合、六つの個室を備え、全体として正六角柱状を呈する建家が形成される。
【００１２】
上述したように、複数の個室を構成する壁体、扉体、および屋根体がそれぞれ取着され、一体化されているため、折畳んだ状態から壁体を開き、さらに扉体を開くという簡易な動作で、簡単に複数の三角筒状を呈する個室を形成することができる。したがって、被災地、海水浴場、建設現場、および催事場等において、仮設の更衣室、シャワー室、およびトイレ等として利用することができる。特に、一度に多数の折畳み式建家を運搬することができ、さらに、ねじ、釘、および工具等を利用せず、誰でも簡単に展開して複数の個室を形成することができるため、災害時等の緊急の際に好適に使用することができる。
【００１３】
上記折畳み式建家を、「前記扉体は、曲折可能に形成され、前記扉体を平板状に保持する扉体保持手段」をさらに有するものとしてもよい。
【００１４】
ここで、扉体は扉面の一部に切込が形成され、切込にしたがって曲折するものが例示される。また、扉体保持手段は断面略コの字形状を呈する金具等を、切込部分を挟むように扉体の上部に嵌める手段等が想定される。
【００１５】
したがって、本考案の折畳み式建家によれば、扉体を曲折することが可能となるため、壁体の幅に対して幅広の扉体を、互いに対向する壁体の間に挟み込んで収容することが可能となる。これにより、展開状態において一つの個室を形成する二枚の壁体の接続角度を広くすることが可能となり、個室の面積を広く形成することができる。
【００１６】
さらに、扉体保持手段を有するため、曲折された扉体を展開した際に、扉体が切込等にしたがって曲折された状態に戻ろうとする動きを規制し、平板状に保持することが可能となる。そのため、展開状態において、真直ぐな扉の状態を維持し、個室を安定して形成することができる。また、個室が形成された状態で、通常の曲折しない扉体と同様に、扉体の開閉をすることができる。
【００１７】
上記折畳み式建家を、「便座孔が穿設された便座部、および前記便座部を支持する脚部を有し、前記便座部および前記脚部の少なくともいずれか一方が、前記壁体に対し折畳み可能に取着される折畳み式便器」をさらに具備するものとしてもよい。
【００１８】
したがって、本考案の折畳み式建家によれば、連結壁体を展開し、さらに壁体に取着された折畳み式便器を展開することにより、簡単に、個室内に便器を備えた建家を形成することが可能となる。そして、従来より使用されている箱型や袋型の便槽を便座孔の下部に配することにより、個室をトイレとして使用することができる。ここで、便槽は、凝固材や消臭材と組合せて、し尿を固めたり臭いを消したりできるものが好適である。
【００１９】
また、全ての個室に折畳み式便器を備えることにより、複数のトイレが連設された公衆トイレとして使用することが可能となる。したがって、例えば、災害時等の多数のトイレが必要となる際に、簡単に複数のトイレを形成することができ、個室ごとに独立したトイレを形成し、並べるという労力および時間を省略することができる。
【００２０】
さらに、便座部および脚部のいずれか一方が折畳み可能に壁体に取着されているため、折畳み状態において互いに対向する壁体の間に、折畳み式便器を挟み込んで収容することが可能である。特に、便座部および脚部を平板状に形成することにより、折畳み式便器を壁体の間に挟み込んで折畳んだ際に、折畳み式建家全体として凸凹が少ない状態にすることが可能となる。そのため、小さいスペースで収納したり、運搬することができる。
【００２１】
上記折畳み式建家を、「前記便座部は、少なくとも一つの固定孔を有して形成され、前記脚部は、前記便座部の水平方向の変位を規制するために前記固定孔に嵌入される突起状の固定片を有する」ものとしてもよい。
【００２２】
ここで、固定孔は便座部の脚部と接触する面側から穿設され、固定片を嵌入可能であればよく、貫通孔であってもよいし、窪状であってもよい。
【００２３】
したがって、本考案の折畳み式建家によれば、脚部に形成された固定片を便座部に穿設された固定孔に嵌入することにより、便座部の水平方向の動きが制限される。これにより、便座部が脚部に固定され、折畳み式便器を椅子状に安定させることが可能となる。そのため、折畳み式便器の利用者は、比較的体重の重い者であっても、折畳み式便器に安定して着座することができる。
【００２４】
上記折畳み式建家を、「前記壁体の下辺を支持し、前記展開状態を保持する架台」をさらに具備するものとしてもよい。
【００２５】
ここで、架台は壁体の下辺を嵌入可能な溝部が放射状に形成された台座や、クランプ等を利用して、壁体を支持するもの等が例示される。
【００２６】
したがって、本考案の折畳み式建家によれば、展開状態にある連結壁体の下辺が架台によって支持され、壁体が放射状に配置された状態を保持することが可能となる。そのため、複数の個室が形成された連結壁体の展開状態が安定して保持される。その結果、突風などがあたった場合でも、展開状態がくずれることがない。また、架台によって支持されるため、風等によって倒れたり、移動する可能性を低減することができる。
【００２７】
上記折畳み式建家を、「前記架台は、平板状を呈する台座部と、前記壁体の厚さと略同一の幅を有し、前記壁体の前記下辺を嵌挿可能に形成された溝部を備え、前記台座部上に放射状に配設される前記壁体と同数個の支持体と、前記支持体を前記台座部に対して垂立した状態から水平な状態に展開可能に、前記支持体の一端を前記台座部に接続する支持体接続部とを有する」ものとしてもよい。
【００２８】
これにより、架台は壁体の下辺を嵌挿可能に形成された溝部を備える支持体を壁体と同数個有するため、それぞれの壁体を個々に支持体で支持することが可能となる。また、全ての支持体は台座部上に放射状に配置されるため、連結壁体の展開状態をより安定して保持することができる。
【００２９】
さらに、全ての支持体が台座部に対して垂立した状態から水平な状態に展開可能に支持体接続部によって接続されている。ここで、垂立した状態の際、支持体が束ねられた状態になり、水平な状態の際に支持体が放射状に配置される。そのため、支持体を台座部に対して垂立した状態で、小さいスペースで保管、および運搬することが可能となる。
【００３０】
上記折畳み式建家を、「前記壁体、前記扉体、前記便座部および前記脚部の少なくとも一つは、プラスチック製の中空構造板が利用される」ものとしてもよい。
【００３１】
したがって、本考案の折畳み式建家によれば、プラスチックの中空構造板は軽量であるため、運搬および設置がさらに容易になる。ここで、ポリプロピレン等の塩素成分を含有しないプラスチックを適用することにより、燃焼時に毒性のダイオキシンが発生することがなく、安全に焼却処分を実施することが可能となる。したがって、老朽、汚れ、および破損等により廃棄処分する際に、焼却することが可能となり、廃棄処分に要する手間、費用等を低減することができる。
【００３２】
【考案の実施の形態】
以下、本考案の一実施形態である折畳み式建家１について、図１乃至図８に基づいて詳しく説明する。ここで、図１は本実施形態である折畳み式建家１の展開状態の構成を示す分解斜視図であり、図２は展開状態の建家本体２１の構成を示す平面図であり、図３は折畳み状態の建家本体２１の構成を示す斜視図であり、図４は壁体３の裏面３ｆの構成を示す説明図であり、図５は壁体３の表面３ｅの構成を示す説明図であり、図６は展開途中の建家本体２１の状態を示す平面図であり、図７は折畳み式便器１１の構成を示す正面図であり、図８は架台３１の構成を示す平面図である。ここで、図２および図６は説明を簡略化するために、屋根体５の表示を省略している。
【００３３】
ここで、折畳み式建家１は、図３に示すような六枚の壁体３が重なり合い、その間に扉体４、および屋根体５が折畳んで収容されている状態（以下、「折畳み状態」と称する。）から、展開して図１および図２に示すような壁体３が放射状に配置され、上方から見ると略三角形状をなす六つの個室Ｒが形成される状態（以下、「展開状態」と称する。）にすることができるものである。
【００３４】
さらに詳しく説明すると、図１乃至図８に示すように、折畳み式建家１は、第一側辺３ａおよび第一側辺３ａに対向する第二側辺３ｂを有し、略長方形の板状を呈する六枚の壁体３を備え、第一側辺３ａ同士がそれぞれ連結されている連結壁体と、第一扉辺４ａが壁体３の第二側辺３ｂに接続されており、長方形の板状を呈する五枚の扉体４と、接続された壁体３の上辺３ｃをそれぞれ接続する六枚の屋根体５と、壁体３にそれぞれ取着されている五組の折畳み式便器１１とを主に有して構成されている建家本体２１および建家本体２１を支持する架台３１とから構成されている。ここで、壁体３、扉体４、および折畳み式便器１１は、燃焼時に毒性の強い有機塩素化合物を発生しないプラスチックの中空構造板で構成され、屋根体５は柔軟性のあるテント地が適用されている。なお、本実施形態で使用しているプラスチックの中空構造板は、切込にしたがって折畳み可能に形成されている。
【００３５】
まず、建家本体２１について図１乃至図６に基づいて詳細に説明する。図３に示すような折畳み状態において、第一側辺３ａ同士を蝶番状の壁連結体２を介して連結されている六枚の壁体３は、互いに重なり合っている。また、このとき、第一扉辺４ａと壁体３の第二側辺３ｂが重なるように、扉接着部４ｂを壁体３の裏面３ｆに粘着テープを用いて接着して扉体４が取着されている（図２，図６参照）。そして、扉体４は横幅を二等分する切込４ｃが形成されており、この切込４ｃにしたがって曲折され、互いに対向する二枚の壁体３の間にそれぞれ挟み込んで収容されている（図４参照）。ここで、図１に示すように、展開状態において形成される個室Ｒを扉体４側から見て、向かって左側の壁体３の面を表面３ｅ、右側の壁体３の面を裏面３ｆと、本実施形態において定義する（図１参照）。
【００３６】
また、図１に示すように、屋根体５は、壁体３の上辺３ｃと略同一の長さの略三角形を呈し、二辺が屋根接続体６によって壁体３に取着されている。そして、折畳み状態では、略半分に折畳まれて、互いに対向する壁体３の間に挟まれている（図示しない）。さらに、折畳み状態において最外面となる壁体３Ａの上辺３ｃには、一辺に第一面ファスナー５ｄが貼着された屋根体５ａが屋根接続体６によって取着され、壁体３Ａの裏面３ｆに屋根体５ａが面接した状態になっている（図３参照）。なお、反対の最外面となる壁体３Ｂの上辺３ｃに嵌め込まれている屋根接続体６の側面には、第一面ファスナー５ｄに噛合わせる第二面ファスナー（図示しない）が貼着されている。
【００３７】
次に、折畳み式便器１１について図１、図４および図５に基づいて詳細に説明する。折畳み式便器１１は、便座部１２、および便座部１２を支持する左脚部１３および右脚部１４とから構成され、各部は壁体３に取着されている。詳しくは、便座部１２は略三角形状を呈する便座孔１２ａ、一対の固定孔１２ｂを有し、便座接着部１２ｃを介して壁体３の表面３ｅに接着されることによって壁体３に取着されている。そして、略長方形状を呈し、固定孔１２ｂに嵌入される左固定片１３ｃ、および曲折可能な切込１３ａが形成されている左脚部１３は、左脚接着部１３ｂが壁体３の表面３ｅに接着されることによって壁体３に取着されている（図５参照）。一方、略長方形状を呈し、固定孔１２ｂに嵌入される右固定片１４ｃ、および曲折可能な切込１４ａが形成されている右脚部１４は、右脚接着部１４ｂを壁体３の裏面３ｆに接着することによって壁体３に取着されている（図４参照）。ここで、便座接着部１２ｃ、左脚接着部１３ｂ、および右脚接着部１４ｂは、粘着テープを用いて、壁体３に接着されている。
【００３８】
上述したように、壁体３は表面３ｅに折畳み式便器１１の便座部１２、および左脚部１３が取着され、裏面３ｆに扉体４、および折畳み式便器１１を構成する右脚部１４が互いに重なり合わないように取着されている（図４，図５参照）。そして、表面３ｅおよび裏面３ｆが向い合うように、第一側辺３ａが壁接続体２を介して接続されている。なお、全てが同じ厚さの同素材で作られているため、折畳み状態の時に、各部が隙間なく重なり合い、六枚の壁体３は凸凹なく重なりあっている（図３，図６参照）。
【００３９】
次に、架台３１について図１および図８に基づいて詳細に説明する。架台３１は、円板状を呈する台座部３２と、台座部３２に所定の角度を保って立設されている六組の挟持部３３と、壁体３が嵌合可能な溝部３４ａが形成され、断面略凹の字形状を呈する六本の支持体３４とから主に構成されている。ここで、挟持部３３は台座部３２を六等分するように放射状に立設され、台座部３２の中央側の端部近傍に設けられた軸孔（図示しない）および軸（図示しない）により、支持体３４を台座部３２に対して垂立した状態から水平な状態へと展開可能に軸支している。すなわち、支持体３４は水平に展開された状態で、挟持部３３に挟持され、台座部３２を均等に六等分した状態に配置される。そして、壁体３が六枚、支持体３４が六本であるため、建家本体２１が展開され、架台３１の支持体３４が水平に展開された状態で、溝部３４ａに壁体３の下辺３ｄを嵌挿することにより、六枚の壁体３がそれぞれ六本の支持体３４に支持され、壁体３が放射状に配置される展開状態が保持される。したがって、六個の個室Ｒが安定して形成される。
【００４０】
続いて、折畳み式建家１の展開方法について説明する。まず、折畳み状態の建家本体２１（図３参照）を、地面上に壁体３が垂立する状態で載置する。その後、互いに重なり合う壁体３の第二側辺３ｂが離間するように、第一側辺３ａを中心に、壁体３を広げる（図６：矢印Ａ）。そして、六枚の壁体３を均等に放射状に配置すると、折畳み状態において最外面となっていた二枚の壁体３Ａ，３Ｂが隣接し、対向する状態になる。その後、屋根体５ａに設けられた第一面ファスナー５ｄと、屋根連続体６に貼着されている面ファスナー（図示しない）を噛合わせることにより、屋根体５ａによって壁体３Ａおよび壁体３Ｂの上辺３ｃが連結される。これにより、壁体３Ａ，３Ｂ、および屋根体５ａによって個室Ｒ１が形成され、さらに、壁体３が均等に放射状に配置された状態が維持される。
【００４１】
その後、壁体３の表面３ｅおよび裏面３ｆにそれぞれ取着された左脚部１３および右脚部１４を、表面３ｅおよび裏面３ｆから離間するように開くと共に、切込１３ａ，１４ａにしたがって曲折する。さらに、便座部１２を表面３ｅから離間するように開き、左脚部１３および右脚部１４の上に載置する（図７矢印Ｂ）。このとき、左固定片１３ｃおよび右固定片１４ｂが、便座部１２の固定孔１２ｂにそれぞれ嵌入される。これにより、便座部１２の水平方向の動きが制限され、左脚部１３、および右脚部１４によって便器部１２が安定して支持される。なお、図７において、説明を簡略化するために扉体４は省略してある。
【００４２】
その後、扉体４を壁体３から離間するように広げると共に、曲折された扉体４が平板状になるように展開する。そして、断面略コの字形状を呈する扉体保持体４ｄを、扉体４の上辺の曲折する中央付近に嵌めることにより、扉体４が切込４ｃにしたがって折畳み状態に戻ろうとする動きが抑制され、平板状に保持される。これにより、二枚の壁体３、扉体４、および屋根体５に囲まれ、折畳み式便器１１を備える三角筒状を呈する個室Ｒが形成される。さらに上述の動作を繰返すことにより、折畳み式便器１１を備える五つの個室Ｒと、折畳み式便器１１を備えない個室Ｒ１からなる六つの個室Ｒ、Ｒ１が形成される。これにより、全体として六角柱状を呈する建家本体２１が形成される（図１および図２参照）。
【００４３】
次に、六本の支持体３４が台座部３２に対して垂立した状態で、台座部３２が地面に接するように架台３１を地面上に載置する。そして、全ての支持体３４を台座部３２に対して水平な状態に展開し、六本の支持体３４を均等に放射状に配置する（図１，図８参照）。その後、上述の通りに展開された建家本体２１の壁体３の下辺３ｄを架台３１の上方から、支持体３４の溝部３４ａに嵌挿する（図１参照）。これにより、六枚の壁体３が、六本の支持体３４によってそれぞれ支持されるため、壁体３が放射状に配置された状態が保持され、建家本体２１の展開状態が安定して維持される。これにより、折畳み式建家１が構成される。
【００４４】
以上詳細に説明したように、本実施形態の折畳み式建家１は、折畳み可能な建家本体２１と、折畳み可能な架台３１とから構成されている。そして、建家本体２１は折畳み状態のときは壁体３、扉体４、屋根体５、および折畳み式便器１１が凹凸なく折り重なり、展開状態において、六つの個室Ｒが隣接して形成される。さらに、五つの個室Ｒには折畳み式便器１１が備えられている。そのため、災害時等の非常用の仮設トイレとして使用することが可能である。すなわち、折畳み状態にして、収納することが可能となるため、狭小なスペースで保管することができる。また、折畳み状態で運搬することにより、一度に多数の折畳み式建家１を、運搬することができる。また、折畳み式便器１１を備えない個室Ｒ１は、消耗品、および掃除道具等を収納する部屋として利用することができる。
【００４５】
また、壁体３、扉体４、屋根体５、および折畳み式便器１１の各部等が、それぞれ取着されて一体になっている。そのため、ネジ等を用いて別々の部品を接続する等の複雑な工程が省略でき、簡単な手順で折畳み状態から展開状態に展開することが可能である。したがって、災害時等に、工具等を必要とせず、特別な技能を有しない人でも簡単に展開することができる。
【００４６】
さらに、本実施形態の折畳み式建家は、プラスチックの中空構造板を利用しているため、軽量である。そのため、運搬、および設置が容易である。さらに、中空構造であり、強靭、かつ緩衝性に優れるため、運搬時に衝撃により破損する可能性を低減することができる。その上、燃焼時に毒性の有機塩素化合物を発生しないプラスチックを利用しているため、老朽、および汚れ等により不要になった際に、焼却することによって容易に処分することができ、処分にかかる手間、および費用を低減することができる。
【００４７】
加えて、架台３１を有するため、建家本体２１の展開状態が安定して保持される。また、屋外に設置する場合に、風などによって倒れたり、移動することを防止することができる。さらに、架台３１は、支持体３４が載置板３２に対して垂立した状態にすると、棒を束ねたような状態になり、狭小なスペースで保管および運搬をすることが可能である。
【００４８】
上述したように、建家本体２１、および架台３１は共に、狭小なスペースで保管、および運搬することが可能であるため、特に、災害時等に好適に利用することができる。
【００４９】
また、折畳み状態における壁体３Ａ，３Ｂの最外面には、扉体４および折畳み式便器１１の各部が取着されていないため、保管、および運搬時に、積重ねられる際に凸凹がなく、安定して積重ねることができる。そして、壁体３Ａ，３Ｂによって、折畳み式便器１１を備えない個室Ｒ１が形成されるため、例えば、消耗品、および掃除道具等の収納スペース等に利用することができる。
【００５０】
以上、本考案について好適な実施形態を挙げて説明したが、本考案はこれらの実施形態に限定されるものではなく、以下に示すように、本考案の要旨を逸脱しない範囲において種々の改良および設計の変更が可能である。
【００５１】
すなわち、形成される個室Ｒの数は、六つに限定されるものではなく、折畳み式建家１は全体として六角形以外の多角形状を呈するものであってもよい。これにより、個室の数、および大きさを調整することが可能となる。また、個室Ｒに折畳み式便器１１を備えないものであってもよく、更衣室、およびシャワー室等の種々の用途に利用するものであってもよい。
【００５２】
また、架台３１は、本実施形態に限定されるものではなく、建家本体２１を安定して支持するものであればよい。さらに、架台３１を備えないものであっても、展開状態を安定して保持できるものであればよい。これにより、さらに構成が簡単になり、軽量になるため、設置が容易になる。
【００５３】
また、屋根接続体６を用いて屋根体５を壁体３に取着するものを示したが、屋根体５は、粘着テープ、接着剤、面ファスナー等の周知の固定手段を利用して取着するものであってもよい。これにより、さらに軽量化することが可能である。
【００５４】
さらに、建家本体２１は、木材やプラスチックの平板等であってもよい。しかしながら、本実施形態で用いたプラスチックの中空構造板は、軽量、強靭、かつ緩衝性に優れるため特に好適である。
【００５５】
【考案の効果】
以上詳細に説明したように、本考案の折畳み式建家は、複数の個室を構成する壁体、扉体、および屋根体がそれぞれ折畳み可能に取着され、一体になっている。そして、壁体が重なり合う折畳み状態にすることができるため、狭小なスペースで保管および運搬等をすることができる。また、折畳んだ状態から壁体を開いて放射状に配置した後、扉体を開くという簡易な動作で、簡単に複数の個室を形成することができる。したがって、被災地、海水浴場、建設現場および屋外の催物会場等において、仮設の更衣室、シャワー室、およびトイレ等として利用することができる。
【図面の簡単な説明】
【図１】本実施形態の折畳み式建家の展開状態の構成を示す斜視図である。
【図２】展開状態の建家本体の構成を示す平面図である。
【図３】折畳み状態の建家本体の構成を示す斜視図である。
【図４】壁体の裏面の構成を示す説明図である。
【図５】壁体の表面の構成を示す説明図である。
【図６】展開途中の建家本体の状態を示す平面図である。
【図７】折畳み式便器の構成を示す正面図である。
【図８】架台の構成を示す平面図である。
【符号の説明】
１　折畳み式建家
３，３Ａ，３Ｂ　壁体
３ａ　第一側辺
３ｂ　第二側辺
３ｃ　上辺
３ｄ　下辺
４　扉体
４ｄ　扉体保持体（扉体保持手段）
５，５ａ　屋根体
１１　折畳み式便器
１２　便座部
１２ａ　便座孔
１２ｂ　固定孔
１３　左脚部（脚部）
１３ｃ　左固定片（固定片）
１４　右脚部（脚部）
１４ｃ　右固定片（固定片）
２１　建家本体
３１　架台
３２　台座部
３４　支持体
３４ａ　溝部
Ｒ，Ｒ１　個室
【図１】
0003097887.tif 000003
【図２】
0003097887.tif 000004
【図３】
0003097887.tif 000005
【図４】
0003097887.tif 000006
【図５】
0003097887.tif 000007
【図６】
0003097887.tif 000008
【図７】
0003097887.tif 000009
【図８】
0003097887.tif 000010